(57)【要約】      （修正有）【課題】構造が簡単で、取り扱いが容易で、現場での運搬と設置が容易で、組み立てが容易で、かつ、工業レベルにおける生産費用が安い視覚障害の検出装置を提供する。【解決手段】視覚障害を検出する電子検出ユニットと筐体３とを備える視覚障害の検出装置１であって、筐体は、主長軸３Ａに沿った細長い形状を有し、電子検出ユニットを収容する底部分３１と底部分に接続される先端部分３２とを備えると共に、底部分に対する遠位位置に、使用者が筐体を電子検出ユニットへの光路に沿って覗き込み、電子検出ユニットに対してその眼を所定の焦点距離に維持することができる筐体へのアクセス開口３４を備える。【選択図】図１
0003222275.tif 000002
【実用新案登録請求の範囲】
【請求項１】
視覚障害を検出する電子検出ユニット（２）と筐体（３）とを備え、前記筐体（３）は、主長軸（３Ａ）に沿った細長い形状を有し、前記電子検出ユニット（２）を収容するようになっている底部分（３１）と前記底部分（３１）に接続される先端部分（３２）とを備えると共に、前記底部分（３１）に対する遠位位置に、使用者が前記筐体（３）を前記電子検出ユニット（２）への光路に沿って覗き込み、前記電子検出ユニット（２）に対してその眼を所定の焦点距離に維持することができるようになっている前記筐体（３）へのアクセス開口（３４）を備えることを特徴とする視覚障害の検出装置。
【請求項２】
前記アクセス開口（３４）は前記先端部分（３２）の成形されたエッジ（３５）によって形成され、成形されたエッジ（３５）は使用者の顔の設置面を形成するようになっている対応する保護部材（６）に結合できることを特徴とする請求項１に記載の検出装置。
【請求項３】
前記成形されたエッジ（３５）は前記保護部材（６）に取り外し可能に結合できることを特徴とする請求項２に記載の検出装置。
【請求項４】
前記先端部分（３２）は、前記保護部材（６）の対応する第２結合手段（６１）に結合できる第1結合手段（３２１）を備えることを特徴とする請求項２又は３に記載の検出装置。
【請求項５】
前記第1結合手段は前記先端部分（３２）の複数の結合シート（３２１）を備え、前記第２結合手段は前記保護部材（６）の複数の結合挿入体（６１）を備え、各結合挿入体（６１）は対応する結合シート（３２１）に挿入できることを特徴とする請求項４に記載の検出装置。
【請求項６】
前記第1結合手段は前記先端部分（３２）の第１接着手段を備え、前記第２結合手段は前記保護部材（６）の第２接着手段を備えることを特徴とする請求項４に記載の検出装置。
【請求項７】
前記筐体（３）は、互に取り外し可能に結合して前記筐体を形成できる複数の組立部材（３０Ａ,３０Ｂ,３０Ｃ,３０Ｄ）を備えることを特徴とする請求項１〜６のいずれか１つに記載の検出装置。
【請求項８】
前記筐体（３）は、前記筐体の隣接する組立部材（３０Ａ,３０Ｂ,３０Ｃ,３０Ｄ）の対を互に取り外し可能に接続する固定手段（３００Ａ,３００Ｂ,３００Ｃ）を備えることを特徴とする請求項７に記載の検出装置。
【請求項９】
前記固定手段（３００Ａ,３００Ｂ,３００Ｃ）は複数のスナップ固定器を備えることを特徴とする請求項８に記載の検出装置。
【請求項１０】
前記筐体（３）の隣接する組立部材（３０Ａ,３０Ｂ,３０Ｃ,３０Ｄ）は、相補的な形状を有する結合エッジ（３０）を備えることを特徴とする請求項７〜９のいずれか１つに記載の検出装置。
【請求項１１】
前記筐体（３）に作動的に接続され、主長軸３Ａを横切る傾斜軸４０に沿って前記筐体を傾かせる支持フレーム（４）を備えることを特徴とする請求項１〜１０のいずれか１つに記載の検出装置。
【請求項１２】
前記筐体（３）は使用者が握ることができる１つ以上のハンドル（３６）を備えることを特徴とする請求項１〜１１のいずれか１つに記載の検出装置。
【請求項１３】
前記筐体（３）は非反射内面（３７）を備えることを特徴とする請求項１〜１２のいずれか１つに記載の検出装置。
【請求項１４】
前記筐体（３）は底部分（３１）の領域に光入射孔（３８）を備えることを特徴とする請求項１〜１３のいずれか１つに記載の検出装置。
【請求項１５】
底部分（３１）に収容され、前記光入射孔（３８）に作動的に結合され、アクセス開口（３４）を介して使用者が観察できる照明された標的を前記筐体に提供する偏光器（５）を備えることを特徴とする請求項１４に記載の検出装置。
【請求項１６】
前記偏光器（５）は、前記光入射孔（３８）からの入射光を受け入れ、受け入れた光をアクセス開口（３４）の方へ偏向して前記前記照明された標的を提供するようになっている偏向ミラー（５１）を備えることを特徴とする請求項１５に記載の検出装置。
【請求項１７】
前記偏光器（５）は前記偏向ミラー（５１）用の支持構造（５２）を備え、前記支持構造は前記底部分（３１）の支持壁（３１０）に調整可能に固定され、前記筐体（３）に対する前記偏向ミラー（５１）の相対的な位置を調整することができることを特徴とする請求項１６に記載の検出装置。
【考案の詳細な説明】
【技術分野】
【０００１】
この考案は、視覚障害の検出装置に関する。
【背景技術】
【０００２】
視覚障害、例えば、焦点障害や視野異常を検出する装置の使用は、広く知られている。そのような装置は、屈折計や検影器として知られる視覚障害検出用電子ユニットを備える。
【考案の概要】
【考案が解決しようとする課題】
【０００３】
先行技術における視覚障害の検出装置は、概して、扱いにくい非効率な全体構造を有し、現場における組み立てや設置に手間を要し、工業レベルにおける生産に比較的費用がかかる。このような理由により、構造がかなり簡単で、取り扱いが容易で、現場での運搬と設置が容易で、組み立てが容易で、かつ、工業レベルにおける生産費用が安いことを特徴とする改良された解決策の必要性が、市場において特に感じられる。
【課題を解決するための手段】
【０００４】
この考案は、このような必要性に応えることを目的とし、実用新案登録請求の範囲の請求項に係る視覚障害の検出装置を提供するものである。
【０００５】
概略的に述べると、この考案による視覚障害の検出装置は、視覚障害を検出する電子検出ユニットと筐体とを備え、前記筐体は、主長軸に沿った細長い形状を有し、前記電子検出ユニットを収容するようになっている底部分と前記底部分に接続される先端部分とを備えると共に、前記底部分に対する遠位位置に、使用者が前記筐体を前記電子検出ユニットへの光路に沿って覗き込み、前記電子検出ユニットに対してその眼を所定の焦点距離に維持することができるようになっている前記筐体へのアクセス開口を備える。
【０００６】
この考案の重要な観点によれば、前記アクセス開口は前記先端部分の成形されたエッジによって形成され、成形されたエッジは使用者の顔の設置面を形成するようになっている対応する保護部材に結合できる。
好ましくは、前記成形されたエッジは前記保護部材に取り外し可能に結合できる。
【０００７】
好ましくは、前記先端部分は、前記保護部材の対応する第２結合手段に結合できる又は結合する第1結合手段を備える。
【０００８】
好ましくは、前記第1結合手段は前記先端部分の複数の結合シートを備え、前記第２結合手段は前記保護部材の複数の結合挿入体を備える。有利には、前記保護部材の各結合挿入体は、対応する結合シートに挿入されるように設計される。
【０００９】
また、前記第1結合手段は前記先端部分の第１接着手段を備えることができ、前記第２結合手段は前記保護部材の第２接着手段を備えることができる。
【００１０】
この考案のさらに重要な観点によれば、前記筐体は、互に取り外し可能に結合して前記筐体を形成できる複数の組立部材を備える。
【００１１】
好ましくは、前記筐体は、前記筐体の隣接する組立部材の対を互に取り外し可能に接続する固定手段を備える。
【００１２】
好ましくは、前記筐体は使用者が握ることができる１つ以上のハンドルを備える。この考案のさらに重要な観点によれば、前記筐体は、好ましくは、黒色の非反射内面を備える。
【００１３】
この考案のさらに重要な観点によれば、この考案による視覚障害の検出装置は、前記筐体に作動的に接続され、前記筐体の主長軸に好ましくは直交する傾斜軸に沿って前記筐体を傾斜させる支持フレームを備える。
【００１４】
この考案のさらに重要な観点によれば、前記筐体の底部分は、前記底部分の領域に光入射孔を備える。
【００１５】
この考案のさらに重要な観点によれば、この考案による視覚障害の検出装置は、前記電子検出ユニットの近傍の底部分に収容され、前記光入射孔に作動的に結合され、アクセス開口を介して使用者が観察できる照明された標的を前記筐体内に提供する偏光器を備える。
【００１６】
好ましくは、前記偏光器は、前記光入射孔からの入射光を受け入れ、受け入れた光をアクセス開口の方へ偏向して前記前記照明された標的を提供するようになっている偏向ミラーを備える。
【００１７】
好ましくは、前記偏光器は前記偏向ミラー用の支持構造を備える。有利には、前記支持構造は前記筐体の底部分の支持壁に調整可能に固定され、前記筐体に対する前記偏向ミラーの位置、従って、前記前記照明された標的の位置を調整することができる。
【図面の簡単な説明】
【００１８】
この考案による視覚障害を検出するための装置の特徴と利点は、限定することなく単に例示するために提供された以下の記述と添付図により、さらに良く理解される。
【図１】この考案による視覚障害の検出装置の概略図である。
【図２】この考案による視覚障害の検出装置の概略図である。
【図３】この考案による視覚障害の検出装置の概略図である。
【図４】この考案による視覚障害の検出装置の使用方法の概略図である。
【図５】この考案による視覚障害の検出装置の使用方法の概略図である。
【図６】この考案による視覚障害の検出装置の概略詳細図である。
【図７】この考案による視覚障害の検出装置の概略詳細図である。
【図８】この考案による視覚障害の検出装置の概略詳細図である。
【図９】この考案による視覚障害の検出装置の概略詳細図である。
【図１０】この考案による視覚障害の検出装置の概略詳細図である。
【図１１】この考案による視覚障害の検出装置の概略詳細図である。
【図１２】この考案による視覚障害の検出装置の概略詳細図である。
【図１３】この考案による視覚障害の検出装置の概略詳細図である。
【図１４】この考案による視覚障害の検出装置の概略詳細図である。
【考案を実施するための形態】
【００１９】
この実用新案は、引用された図を参照して、視覚障害を検出するための装置（以下、単に「検出装置」という）１に言及する。検出装置１は、例えば、屈折計や検影器のような、視覚障害を検出するための電子検出ユニット（以下、単に「検出ユニット」という）２を備える（図１１参照）。
【００２０】
検出ユニット２は、既知のタイプのものであることが可能であるので、ここでは簡単のために、これ以上説明しない。例えば、それは欧州特許第EP2879564B1号に記載されたタイプのものであってもよい。検出装置１は、筐体３を備える。
【００２１】
一般的に言って、筐体３は、プラスチック材料から形成でき、単層構造又は多層構造から構成することができる。工業レベルにおいて、それは、例えば、成形、一体成形、押出成形等の既知のタイプの工業的処理や工程を用いて作ることができる。
【００２２】
筐体３は、検出装置１のいくつかの構成部品、例えば、上記検出ユニットが収容される内部容積を備えるように設計される。
【００２３】
引用図に示されるように、筐体３は都合よく、第１端部３２Ａの部分において解放された容器であり、両端部の間において主長軸３Ａに沿って延びる細長い形状を有する。
【００２４】
概略的には、筐体３は、底部分３１と先端部分３２とを備える。底部分３１と先端部分３２は、主長軸３Ａに沿ってそれぞれ筐体３の第２端部３１Ａと第１端部３２Ａを備える（図１−３）。
【００２５】
明瞭にするために特定されることであるが、「底部分」と「先端部分」という用語は検出装置１の通常の使用に適用され、その場合には、筐体３の上記部分は前記装置の支持面に対してそれぞれ基端位置と先端位置にある（図４−５）。
【００２６】
底部分３１は、検出ユニット２（図１１）と、検出装置１の以下に詳述する他の構成部品を収容するようになっている。
【００２７】
好ましくは、底部分３１は、筐体３の内部容積の第１部分の範囲を定める開口部のない筐体空洞を形成する。
【００２８】
好ましくは、底部分３１は細長い形状を有し、第２端部３１Ａの方に向かって、主長軸３Ａに沿って末広がりになっている。
【００２９】
検出ユニット２を収容するために、底部分３１は、筐体３の主長軸３Ａに対して横切るように（好ましくは、直交するように）配置された支持壁３１０（図１０、１４）を有利に備える。支持壁３１０は、好ましくは、シート３１１（図１４）を備え、シート３１１は例えば、検出ユニット２が既知のタイプの固定手段（図示しない）によって固定される部分に、成形された貫通開口を備える（図１４）。
【００３０】
先端部分３２は底部分３１に接続され、好ましくは、筐体３の内部容積の第２部分の範囲を定める貫通空洞を形成し、その第２部分は実質的に空で、底部分３１によって形成される内部容積の第１部分に連通している。
【００３１】
好ましくは、先端部分３２は、主長軸３Ａに沿って実質的に管状の先細る形状を有し、一方の側において（第１端部３２Ａと反対側の先端位置において）底部分３１に接続している。
【００３２】
先端部分３２は、底部分３１の反対側の先端位置において、好ましくは、筐体３の第１端部３２Ａの部分において、筐体３の内部容積へのアクセス開口（接眼孔）３４を有する。
【００３３】
アクセス開口３４は、使用者が検出ユニット２への光路に沿って筐体３を覗き込むことができるようになっており、例えば、光（例えば、赤外光）によって網膜を照射し、眼底の画像を提供するように反射光を収集することによって、検出ユニット２は使用者の眼と相互に作用することができる。
【００３４】
アクセス開口３４の部分に使用者の顔を置くことによって、使用者は、検出ユニット２の方を見て、眼を検出ユニット２に対して所定の焦点距離に維持し、検出ユニット２による視覚障害の最適な検出を可能にする。
【００３５】
好ましくは、アクセス開口３４は、先端部分３２の成形されたエッジ３５（図７）によって筐体３の第１端部３２Ａの部分に形成される。有利なことに、成形されたエッジ３５は、使用者の顔の形に合った、好ましくは、マスクの形状の輪郭を有する。
【００３６】
好ましくは、成形されたエッジ３５は、使用者の顔用の支持面６０を形成するようになっている対応保護部材６（図７）に結合する、又は結合することができる。
【００３７】
好ましくは、保護部材６は、先端部分３２の成形されたエッジ３５の輪郭に相補的な形、例えば、図６−８に示す両眼用マスクの形を有する成形された輪郭を備える。
【００３８】
保護部材６は、使用者がアクセス開口３４に顔を気持ち良く設置し、検出ユニット２の方向を見て顔を正しい位置に容易に維持できるようにする。これにより、検出ユニット２によって実行される検出工程の質が著しく改善される。
【００３９】
好ましくは、保護部材６は、成形されたエッジ３５に取り外し可能に結合することができる。
【００４０】
前記解決策は、著しい実際的な利点をもたらす。
【００４１】
保護部材６は、都合よく使用後に交換できるので、使用者の衛生状態のレベルを確実に高くする。
【００４２】
さらに、保護部材６の形状は使用者の顔の輪郭のタイプに応じて設計できる。従って、使用者の特徴、例えば、使用者の民族や年齢により保護部材６を変更することが可能である。好ましくは、先端部分３２は、保護部材６の対応する第２結合手段６１に結合する第1結合手段３２１を備える。
【００４３】
好ましくは、上記第1結合手段は、成形されたエッジ３５に、又はその近傍に設けられた、先端部分３２の複数の結合シート３２１を備える（図７）。好ましくは、上記第２結合手段は、保護部材６の複数の結合挿入体６１を備える（図７−８）。有利なことに、保護部材６の各結合挿入体６１は、先端部分３２の対応する結合シート３２１に挿入可能であり、保護部材６を成形されたエッジ３５に結合する。
【００４４】
他の実施形態の変形によれば、上記第1結合手段は先端部分３２の第１接着手段を備えることができ、上記第２結合手段は保護部材６の第２接着手段を備えることができる。前記第１および第２接着手段は、接着剤物質又はベルクロ（登録商標）で覆われた先端部分３２と保護部材６の各領域を備えることができる。
【００４５】
保護部材６はシリコーン、エラストマー又はプラスチック材料から作ることができ、工業レベルにおいて、既知のタイプの工業的処理と工程、例えば、成形、一体成形および類似の処理によって生産することができる。
【００４６】
好ましくは、筐体３は複数の組立部材３０Ａ,３０Ｂ,３０Ｃ,３０Ｄ（図１）を備え、それらは互に離脱可能に結合できる。
【００４７】
有利なことに、筐体３の底部分３１と先端部分３２は、１つ以上の前記組立部材を備えることができる。例えば、引用した図１に示すように、底部分３１は組立部材３０Ａ,３０Ｂを備えることができ、先端部分３２は組立部材３０Ｃ,３０Ｄを備えることができる。
【００４８】
好ましくは、互に隣接する組立部材３０Ａ,３０Ｂ,３０Ｃ,３０Ｄは、相補的形状を有利に有し筐体３への偽の光の侵入を防止するそれぞれの結合エッジ３０において結合される（図１１）。
【００４９】
好ましくは、筐体３は、組立部材３０Ａ,３０Ｂ,３０Ｃ,３０Ｄの対を互に離脱可能に接続するようになっている固定手段３００Ａ,３００Ｂ,３００Ｃ（図１）を備える。
【００５０】
例えば、固定手段３００Ａは組立部材３０Ａと３０Ｂを互に接続するように設計され、固定手段３００Ｂは組立部材３０Ｂと３０Ｃを互に接続するように設計され、固定手段３００Ｃは組立部材３０Ｃと３０Ｄを互に接続するように設計されている。
【００５１】
好ましくは、固定手段３００Ａ,３００Ｂ,３００Ｃは複数のスナップ式固定具を備える。例えば、固定手段３００Ａ,３００Ｂ,３００Ｃは、筐体３の対向する両側に配置された各対のスナップ式固定具を備えることができる（図１−３）。
【００５２】
互に取り外し可能に結合できる複数の独立した組立部材３０Ａ,３０Ｂ,３０Ｃ,３０Ｄへの筐体３の分割は、いくつかの実用的な利点をもたらす。
【００５３】
筐体３の組立部材３０Ａ,３０Ｂ,３０Ｃ,３０Ｄは、それらを簡単に並置して固定手段３００Ａ,３００Ｂ,３００Ｃ（図９−１０）を利用することにより、互に分離して運んで現場で組み立てることができる。              
【００５４】
検出ユニット２は分離して運ばれた後、組立部材（組立部材３０Ｂ）の領域に組み立てられることができ、その組立部材は別の組立部材（組立部材３０Ａ）に続けて結合されて筐体３の底部分３１を形成することができる（図１０）。
【００５５】
従って、この解決策によって、検出装置１の運搬と効果的な設置が著しく容易になることは明らかである。
【００５６】
筐体３は、有利には黒色の、非反射内面３７（図１１−１２）を備えることが好ましい。これによって筐体３への偽の光の侵入が著しく制限されるので、検出ユニット２によって実行される検出処理の質が著しく改善される。
【００５７】
黒色の非反射内面３７を生産するために、既知のタイプの工業的手法や工程、例えば、プラスチック材料の成形や一体成形、塗料の塗布や吹き付け、プラスチックやシリコーン材料の層による被覆、サンディング、ショット・ピーニング等を用いることができる。
【００５８】
好ましくは、検出装置１は、筐体３に作動的に結合される支持フレーム４（図１−５）を備える。
【００５９】
好ましくは、支持フレーム４は筐体３に作動的に結合され、傾斜軸４０（図２）に沿って筐体３を傾斜させる。傾斜軸４０は主長軸３Ａに対してほぼ同一平面上で直交している。
【００６０】
図４と５に示すように、筐体３は前記傾斜軸４０を中心に回転でき、筐体３の第１端部３２Ａとアクセス開口３４を容易に患者の顔の高さまで持っていけるので、患者は筐体３の内部容積を容易に（眼で）覗き込むことができる。
【００６１】
さらに、底部分３１の範囲に、つまり筐体３の第２端部３１Ａの近傍に、検出ユニット２を収容することによって、筐体３が自由に回転できるとき、支持フレーム４の設置面に対してほぼ垂直姿勢に筐体３を自然にリセットするように重量分布が与えられる。
【００６２】
支持フレーム４は、既知のタイプの解決方法によって製造できる。例えば、それは、支持面（例えば、床）に設置される設置部４１を形成するように曲げられた管状構造と、傾斜軸４０を中心に筐体３を自由に回転させるように互に向き合って筐体３の（対向する側に有利に配置された）適当な結合孔３９（図９）の部分で筐体３に結合された一対の結合部４２（図４−５）とを備える。
【００６３】
いくつかの実施形態の変形によれば、筐体３は、アクセス開口３４の部分に顔を設置して検出装置１の使用に必要な時間だけ筐体３の姿勢を安定して維持するために、傾斜軸４０を中心に筐体３を回転させるように使用者が握ることが可能な１つ以上のハンドル３６（図１）を備えることができる。
【００６４】
好ましくは、筐体３は、有利には底部分３１の範囲に光入射孔３８（図９−１２）を備える。
【００６５】
好ましくは、検出装置１は底部分３１に、有利には検出ユニット２の近傍に収容された偏光器５（図１１−１３）を備える。
【００６６】
偏光器５は、筐体３の光入射孔３８に作動的に結合され、アクセス開口３４を介して筐体３を覗き込む使用者によって観察できる照明された標的を備える。
【００６７】
このようにして、使用者は、アクセス開口３４の部分に顔を設置して検出ユニット２による検出工程が実行されている間、光学的観察軸に沿ってその眼を正しい位置に維持することができる。
【００６８】
好ましくは、偏光器５は光入射孔３８から入射光を受け入れ、受け入れた光をアクセス開口３４の方へ偏向させるようになっている偏向ミラー５１を備え、観察に利用できる前記照明された標的を形成する。
【００６９】
好ましくは、偏光器５は偏向ミラー５１用の支持構造５２（図１２−１３）を備える。
【００７０】
好ましくは、支持構造５２は、例えば、その部分に検出ユニット２が設置されている横断支持壁３１０（図１４）のような、底部分３１の支持壁に固定されている。
【００７１】
好ましくは、偏光器５は前記支持壁に調整可能に固定され、筐体３に対する偏向ミラー５１の位置を調整する、つまり、照明された標的の設置位置を調整する。
【００７２】
上記解決策の工業的な実施において、偏向ミラー５１は好ましくは、支持構造５２によって主長軸３Ａに対して或る傾斜角（例えば、４５度）に保たれた反射ミラーを備える。
【００７３】
好ましくは、支持構造５２は、底部分３１の支持壁に調整可能に固定された１つ以上の支持部材５２１に固定された１つ以上の支持支柱５２２を備える（図１３）。
【００７４】
例えば、図１３に示すように、支持構造５２は2対の支持支柱５２２を備えることができる。各対の支持支柱５２２（偏向ミラー５１を傾斜位置に維持するために有利に異なる高さを有する）は、対応する支持ブラケット５２１に固定される。
【００７５】
各支持ブラケット５２１は、１つ以上の接続孔５２０の部分の底部分３１の支持壁に調整可能に固定される。
【００７６】
この実用新案による検出装置は使用の有効性の観点から相当な利点を有することが、実際に理解された。
【００７７】
この実用新案による検出装置は、内蔵された検出ユニットによって視覚障害の検出工程の容易で正しい実行を促進するように作られた筐体３を有する。
【００７８】
この実用新案による検出装置は、使用者に容易で実用的な機能を提供し、取り扱いが著しく容易で、容易に運んで現場で容易に設置でき、現在使用されている同じタイプの装置に比べて低価格であるという特徴を有する。
【符号の説明】
【００７９】
１  装置
２  電子検出ユニット
３  筐体
３Ａ  主長手軸
４  支持フレーム  
５  偏光器
６  保護部材
３０  結合エッジ
３０Ａ,３０Ｂ,３０Ｃ,３０Ｄ  組立部材
３１  底部分
３１Ａ  第２端部
３２  先端部分
３２Ａ  第１端部
３４  アクセス開口
３５  成形されたエッジ
３６  ハンドル
３７  非反射内面
３８  光入射光
３９  結合孔
４０  傾斜軸
４１  設置部
４２  結合部
５１  偏向ミラー
５２  支持構造
６０  支持面
６１  第２結合手段（結合挿入体）
３００Ａ,３００Ｂ,３００Ｃ  固定手段
３１０  支持壁
３１１  シート
３２１  第１結合手段（結合シート）
５２０  ブラケット
５２１  支持部材
５２２  支持支柱
【図１】
0003222275.tif 000003
【図２】
0003222275.tif 000004
【図３】
0003222275.tif 000005
【図４】
0003222275.tif 000006
【図５】
0003222275.tif 000007
【図６】
0003222275.tif 000008
【図７】
0003222275.tif 000009
【図８】
0003222275.tif 000010
【図９】
0003222275.tif 000011
【図１０】
0003222275.tif 000012
【図１１】
0003222275.tif 000013
【図１２】
0003222275.tif 000014
【図１３】
0003222275.tif 000015
【図１４】
0003222275.tif 000016
【手続補正書】
【提出日】令和1年5月15日(2019.5.15)
【手続補正１】
【補正対象書類名】実用新案登録請求の範囲
【補正対象項目名】請求項１６
【補正方法】変更
【補正の内容】
【請求項１６】
前記偏光器（５）は、前記光入射孔（３８）からの入射光を受け入れ、受け入れた光をアクセス開口（３４）の方へ偏向して前記照明された標的を提供するようになっている偏向ミラー（５１）を備えることを特徴とする請求項１５に記載の検出装置。